【事件の表示】
　平成１０年特許願第１３４７３９号「表示機能付無線呼出受信機」拒絶査定に対する審判事件［平成１０年１１月　４日出願公開、特開平１０−２９４９６１］について、次のとおり審決する。
【結　論】
　本件審判の請求は、成り立たない。
【理　由】
１．手続の経緯・本願発明
　本願は、平成１０年　５月１８日（遡及出願平成　７年１２月２５日）の出願であって、その請求項１及び２に係る発明は、特許請求の範囲の請求項１及び２に記載された事項により特定されるとおりのものであると認める。
　これに対して、平成１５年１月６日付けで拒絶理由を通知し、期間を指定して意見書を提出する機会を与えたが、請求人からは何らの応答もない。
　
２．当審の拒絶理由
　当審において、平成１５年１月６日付けで通知した拒絶の理由は以下のとおりである。
「本件出願の請求項１及び請求項２に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　記：引用文献一覧
刊行物１：特開平７−１４１５０１号公報
刊行物２：特開平７−３３６７４６号公報
　
（備考）
１．手続の経緯・本願発明
  本願は、平成７年１２月２５日に出願された特願平７−３３７５２７号の一部を平成１０年５月１８日に新たな特許出願としたものであって、請求項１及び請求項２に係る発明は、手続補正書により補正された明細書及び図面の記載からみて、その特許請求の範囲の請求項１及び請求項２に記載されたとおりの以下の事項により特定されるものである。
「【請求項１】複数の単位表示情報を選択する表示情報選択手段と、
　選択された複数の単位表示情報の各々を表示する位置を選択する表示位置選択手段と、
　選択された単位表示情報と選択された位置に対応する位置情報とを一つのメッセージ信号とし、前記メッセージ信号中に前記選択された単位表示情報を表示される位置の順番に配置して登録する登録手段とからなる表示機能付無線呼出受信機。
【請求項２】前記表示する位置は、１つの画面を複数に分割した予め定められた位置に対応することを特徴とする請求項１記載の表示機能付無線呼出受信機。」
　
２．刊行物記載の発明
（１）上記刊行物１には、以下の事項が記載されている。
ア．「【請求項２】前記線図領域を複数のブロックに分割し、各ブロック単位毎に線図データを作成することを特徴とする請求項１記載の線図データ処理方法。」（第２頁左欄第１３行〜１５行、特許請求の範囲）
　
イ．「【請求項３】所定の線図領域内の線図を位置データと線分データとで表した線図データを受信する受信手段と、
前記受信手段が受信した線図データの位置データに基づいて前記線図領域内の基準点の位置を抽出する基準点位置抽出手段と、
前記受信手段が受信した線図データの線分データに基づいて前記基準点位置抽出手段で抽出した基準点の位置から前記線図領域内に伸びる線分方向を抽出する線分方向抽出手段と、
前記基準点位置抽出手段で抽出した基準点位置と、前記線分方向抽出手段で抽出した線分方向とに基づいて、前記線図領域内の線図をビットマップ展開する展開手段と、
を備えたことを特徴とする無線受信機。」（第２頁左欄第１６行〜２９行、特許請求の範囲）
　
ウ．「【産業上の利用分野】本発明は、線図データ処理方法及び無線受信機に関し、詳細には、線分で構成される線図データを圧縮処理し、その圧縮された線図データを受信する線図データ処理方法及び無線受信機に関する。」（第２頁左欄第３２行〜３５行、【０００１】欄）
　
エ．「この場合、例えば、請求項２に記載するように、前記線図領域を複数のブロックに分割し、各ブロック単位毎に線図データを作成するようにしてもよい。」（第２頁右欄第３２行〜３４行、【０００９】欄）
　
オ．「請求項３記載の無線受信機は、所定の線図領域内の線図を位置データと線分データとで表した線図データを受信する受信手段と、前記受信手段が受信した線図データの位置データに基づいて前記線図領域内の基準点の位置を抽出する基準点位置抽出手段と、前記受信手段が受信した線図データの線分データに基づいて前記基準点位置抽出手段で抽出した基準点の位置から前記線図領域内に伸びる線分方向を抽出する線分方向抽出手段と、前記基準点位置抽出手段で抽出した基準点位置と、前記線分方向抽出手段で抽出した線分方向とに基づいて、前記線図領域内の線図をビットマップ展開する展開手段と、を備えたことを特徴とする。」（第２頁右欄第３５行〜４６行、【００１０】欄）
　
カ．「この場合、例えば、請求項２に記載するように、線図領域を複数のブロックに分割し、各ブロック単位毎に線図データを作成することにより、複雑な形状の線図であっても、基準点位置の位置データと、その基準点から線図の伸びる方向を示す線分データとからなる
線図データとして表すことが可能となり、圧縮率の高い線図データが得られる。」（第３頁左欄第１１行〜１７行、【００１３】欄）
　
キ．「請求項３記載の無線受信機では、受信手段により位置データと線分データとから成る線図データを受信し、その線図データの位置データに基づいて基準点位置抽出手段により線図領域内の基準点位置を抽出するとともに、線分データに基づいて線分方向抽出手段で基準点から線図領域内に伸びる線分方向を抽出し、その抽出した基準点位置と線分方向に基づいて展開手段により受信した線図データをビットマップ展開するようにする。」（第３頁左欄第１８行〜２６行、【００１４】欄）
　
ク．「【実施例】以下、図１〜図８を参照して本発明の線図データ処理方法に係る実施例を説明し、図９〜図１２を参照して本発明の無線受信機に係る実施例を説明する。」（第３頁左欄第３４行〜３６行、【００１６】欄）
　
ケ．「本実施例では、ページングシスシテムにおけるページャーに対して線図データを送信するためのデータ圧縮処理を行うものである。」（第３頁左欄第５０行〜右欄２行、【００１８】欄）
　
コ．「まず、図１に示す線図データ処理を開始する前段階では、ページャーに送信する線図をビットマップ展開する線図領域を複数ブロックに分割し、各ブロックに予め複数の基準点を所定位置に所定数設定しておき、その基準点の数と位置は送信側と受信側に共通のデータとして持っているものとする。」（第３頁右欄第３行〜８行、【００１９】欄）
　
サ．「例えば、図４に示すように、送信側の線図領域１１を縦横１６ドットずつの正方形のブロック１２単位に分割する。図４に示す線図領域１１の例では、縦５１ドット（１６ドット×３＋３ドット）、横１０１ドット（１６ドット×６＋５ドット）から構成されている。このため、１６ドットに満たない半端領域１３が発生した場合は、ここでは、縦１３ドット、横１１ドット分だけ線図領域を拡張することにより（ハッチングで示す部分）、線図領域１１の周辺に仮想的に画面を広げた仮想ブロック１４を形成し、各ブロックが常に縦横１６ドットで構成されるようにする。このように、仮想的に広げた画面は、線図データを送信する際には必要であるが、受信側で受信した後、データを展開して表示する段階で不要となるので、受信機側で切り捨てる処理が行われる。」（第３頁右欄第９行〜２３行、【００２０】欄）
　
シ．「そして、上記のように分割された正方形のブロック（以下、ピクセルともいう）は、図５に示すように、１６ドット（縦）×１６ドット（横）の２５６ドットで構成されている。図５のブロック１２には、線図を表す基準となる複数の基準点２２が予め設定される。ここで設定される基準点は、１ブロック内の縦方向と横方向に４ドット毎に設定するようにしたため、基準点の縦位置と横位置とをそれぞれ２ビット「００，０１，１０，１１」のデータとして表すことができる。上述したように、図１の線図データ処理を開始する前には、線図領域のブロック単位の分割と、その各ブロック内に複数の基準点を設定することが行われ、この線図領域のブロック単位の分割と基準点の設定が、線図データの送信側と受信側とで同じに設定される必要がある。これは、送信側と受信側とで、上記設定状態が異なると、線図データが正しく送信できないからである。」（第３頁右欄第２４行〜３９行、【００２１】欄）
　
ス．「〔線図データを受信する無線受信機の説明〕図９は、上記線図データ処理方法によりデータ圧縮された線図データを受信してビットマップ展開する無線受信機の一実施例を示す構成ブロック図であり、ページャーに適用した例である。」（第５頁左欄第３０行〜３４行、【００４５】欄）
　
セ．「ＲＯＭ（Read Only Memory）４８は、制御部４７内のＣＰＵが実行する各種制御プログラムを格納しており、特に、受信したメッセージ情報中に含まれる線図データをビットマップに展開する際に必要なデータ構成に関するデータが格納されている。例えば、線図データは、受信データの中に一定のブロック順序に従って、各ブロック毎に２０ビットのデータが含まれており、前半と後半の１０ビットずつが別々の線図データを示している。そして、各１０ビットの最初の２ビットが基準点の縦位置を示し、次の２ビットが基準点の横位置を示し、その次の３ビットが一方の線分方向を示し、最後の３ビットがもう一方の線分方向を示している。
制御部４７は、これらのＲＯＭデータに基づいて、受信データの中に含まれる線図データを分析して、線図としてビットマップ展開することができる。」（第５頁右欄第３２行〜４６行、【００５３】欄）
　
ソ．「図１１において、受信処理を開始すると、受信データに含まれる線図データは、ブロック単位で受信され、その受信されるデータのブロック位置が順次移動する。」（第６頁左欄第２３行〜２６行、【００６１】欄）
　
タ．「最初に受信する線図データは、ここでは図１０に示す左上のブロック（縦位置「０」、横位置「０」）から始まり、順次受信する線図データのブロックが右方向に移動し、右端まで行くと、次の段の左端のブロックから始まって順次右方向へ移動する。このように、無線受信機で受信する線図データのブロック別の受信順序は、送信側の送信順序に対応する。」（第６頁左欄第２７行〜３３行、【００６２】欄）
　
チ．「なお、上記実施例では、線図領域を複数に分割する縦と横のブロック数を送信側と受信側とで予め取り決めるようにしたが、送信側で縦と横のブロック数のデータを、線図データの送信前に送るようにして、受信側ではこのデータ通りに送られてくる線図データを展開するようにしても良い。この場合、送信する側のブロックの縦と横の数は、受信側のブロックの縦と横の数を越えてはならない。これは、受信側よりも送信側のブロックの数が多いと、線図が正しく展開できなくなるからである。」（第７頁左欄第３１行〜４０行、【００８１】欄）
　
ツ．「また、上記実施例では、線図領域を縦横１６ドットのブロック（ピクセル）に分割して、そのブロック内の２つまでの線図を線図データ化できるようにしたが、線図の密度が高い場合は、分割するブロック数を増やすとともに、データ化できる線図の数を増やすことで、種々の線図をデータ圧縮することができる。このように、分割するブロック数を増やしたり、データ化できる線図の数を増やす場合は、送信側と受信側とで線図データのフォーマットを共通にする必要があるため、これらのデータを送信データに含ませて送信するようにする。」（第７頁左欄第４１行〜右欄第１行、
【００８２】欄）
　
　上記のア．エ．カ．サ．及びシ．の事項を参照すると、刊行物１には、
　線図領域を複数のブロックに分割し、各ブロック単位毎に線図データを作成する線図データ処理方法が記載されている。
　
　また、上記のイ．ウ．オ．及びキ．の事項を参照すると、刊行物１には、
　線図を位置データと線分データとで表した線図データを受信する受信手段と、
　位置データに基づいて基準点の位置を抽出する基準点位置抽出手段と、
　線分データに基づいて基準点の位置から線分方向を抽出する線分方向抽出手段と、
　基準点位置と、線分方向とに基づいて、線図をビットマップ展開する展開手段と、
を備えた無線受信機が記載されている。　
　
　また、上記のク．ケ．コ．及びス．の事項を参照すると、刊行物１には、
　無線受信機として、ページングシステムにおけるページャーに適用した例が記載されている。
　
　また、上記のコ．サ．シ．及びセ．の事項を参照すると、刊行物１には、
　線図領域１１を正方形のブロック１２単位に分割し、分割された正方形のブロックは、１６ドット×１６ビットで構成し、ブロック内に基準点を設定し、基準点の縦位置と横位置を２ビット「００，０１，１０，１１」で表し、線図データは、受信データの中に、一定の順序に従って、各ブロック毎に、基準点の縦・横位置のデータと線図としてビットマップ展開するためのデータとを格納して送ることが記載されている。
　
　また、上記のソ．及びタの事項を参照すると、刊行物１には、
　線図のブロック単位の送受信は、送信側と受信側とで、ブロックの送信順序を決めておいて、縦位置「０」、横位置「０」から始まり、順次ブロックが右方向に移動し、右端までいくと、次の段の左端のブロックから始まって順次右へ移動するように行われることが記載されている。
　即ち、ブロック単位の送受信については、表示される位置の順番に送信され、受信されることが記載されている。
　
　また、上記のチ．及びツ．の事項を参照すると、刊行物１には、
　実施例では、縦と横のブロック数を送信側と受信側で予め取り決めたが、これらのデータを線図データの送信前に送るようにしても良いこと、及び、分割するブロック数や線図の数を増やす場合には、送信側と受信側で線図データのフォーマットを共通にする必要があるため、これらのデータを送信データに含ませて送信するようにすることが記載されている。
　即ち、ブロック単位の送受信については、表示される位置の順番についての情報を送信データに含ませることが記載されている。
　
　以上を勘案すると、刊行物１には、
　線図領域を複数のブロックに分割して更に各ブロックを縦横の複数のドットに分割し、
　線図領域内の複数のブロックの位置と各ブロック内の基準点の位置とを選択し、　
　複数のブロックの情報と各ブロック内の位置の情報とを送信データに含ませ、
　送信データの複数のブロックの情報と各ブロック内の位置の情報により、各ブロックをビットマップ展開し、各ブロックの配置順序に従って配置する表示機能付きのページャーの発明（以下、「刊行物１記載の発明」という。）が記載されている。
　
（２）上記刊行物２には、以下の事項が記載されている。
ア．「【請求項１】 指定コードを受信する受信手段と、表示手段と、絵を作成する作成手段と、前記作成手段によって作成された絵を、前記指定コードと対応づけて複数記憶する記憶手段と、前記受信手段によって受信された指定コードに基づいて、この指定コードと対応づけて記憶されている絵を選択し、前記表示手段に表示するよう制御する表示制御手段とを備えたことを特徴とする受信装置。」（第２頁左欄第２行〜１０行、特許請求の範囲）
　
イ．「【請求項２】 前記絵は、複数のパーツパターンによって構成され、前記記憶手段は、前記複数のパーツパターンを記憶する第１の記憶部と、前記作成手段によって作成される絵を、前記複数のパーツパターンの組合せデータとして記憶する第２の記憶部とを含み、前記受信手段によって受信された指定コードに基づいて、この指定コードと対応づけて記憶されている組合せデータを前記第２の記憶部より選択し、この選択された組合せデータに基づいて、前記表示制御手段は、前記第１の記憶部より選択された複数のパーツパターンによって構成される絵を、前記表示手段に表示させることを特徴とする請求項１記載の受信装置。」（第２頁左欄第１１行〜４２行、特許請求の範囲）
　
　上記ア．の事項を参照すると、刊行物２には、
　作成手段によって作成された絵を、前記指定コードと対応づけて複数記憶する記憶手段と、前記受信手段によって受信された指定コードに基づいて、この指定コードと対応づけて記憶されている絵を選択し、前記表示手段に表示するよう制御する表示制御手段とを備えた受信装置が記載されている。
　
　上記イ．の事項を参照すると、刊行物２には、
　前記絵は、複数のパーツパターンによって構成され、前記記憶手段は、前記複数のパーツパターンを記憶する第１の記憶部と、前記作成手段によって作成される絵を、前記複数のパーツパターンの組合せデータとして記憶する第２の記憶部とを含み、前記受信手段によって受信された指定コードに基づいて、この指定コードと対応づけて記憶されている組合せデータを前記第２の記憶部より選択し、この選択された組合せデータに基づいて、前記表示制御手段は、前記第１の記憶部より選択された複数のパーツパターンによって構成される絵を、前記表示手段に表示させる受信装置が記載されている。
　
　以上を勘案すると、刊行物２には、
　複数のパーツパターンに指定コードを対応づけて選択する手段と、
　複数のパーツパターンの組み合わせデータを記憶する手段と、
　受信信号によって受信された指定コードに基づいて、　
　この指定コードと対応づけて記憶されている組合せデータを選択し、この選択された組合せデータに基づいて、複数のパーツパターンによって構成される絵を、表示手段に表示させる受信装置の発明（以下、「刊行物２記載の発明」という。）が記載されている。　
　
３．対比・判断
［請求項１］に係る発明について
（１）対比
　請求項１に係る発明と刊行物１記載の発明とを対比すると、
　
ア．刊行物１記載の発明の「線図領域を複数のブロックに分割し、各ブロックを縦横の複数のドットに分割」する構成は、ブロックと複数のドットの２段構成である点では相違するものの、これらは、複数の表示情報である点には相違はなく、請求項１に係る発明の「複数の表示情報を選択する表示情報選択手段」に相当する。
　
イ．刊行物１記載の発明の「線図領域内の複数のブロックの位置と、各ブロック内の基準点の位置を選択」する構成は、ブロックと複数のドットの２段構成である点では相違するものの、これらは、複数の表示情報である点には相違はなく、請求項１に係る発明の「選択された複数の表示情報の各々を表示する位置を選択する表示位置選択手段」に相当する。
　
ウ．刊行物１記載の発明の「複数のブロックの情報と、各ブロック内の位置の情報を送信データに含ませる」構成は、請求項１に係る発明の「選択された表示情報と選択された位置に対応する位置情報とを一つのメッセージ信号とする」構成に相当する。
　
エ．刊行物１記載の発明の「送信データの複数のブロックの情報と各ブロック内の位置の情報により、各ブロックのビットマップ展開し、各ブロックの配置順序に従って配置する」構成は、
　複数のブロックのブロック単位の送受信については、表示される位置の順番に送信され、受信されるものであり、また、ブロック単位の表示される位置の順番についての情報を送信データに含ませるように構成されているものであるから、請求項１に係る発明の「前記メッセージ信号中に前記選択された表示情報を表示される位置の順番に配置して登録する登録手段」と同一の構成を備えたものである。
　
オ．刊行物１記載の発明の「ページャー」は、請求項１に係る発明の「無線呼出受信機」に相当する。
　
　したがって、両者は、以下の点で一致し、以下の点で相違する。
　
＜一致点＞
　複数の表示情報を選択する表示情報選択手段と、
　選択された複数の表示情報の各々を表示する位置を選択する表示位置選択手段と、
　選択された表示情報と選択された位置に対応する位置情報とを一つのメッセージ信号とし、前記メッセージ信号中に前記選択された表示情報を表示される位置の順番に配置して登録する登録手段とからなる表示機能付無線呼出受信機。
　
＜相違点＞
　複数の表示情報が、
　請求項１に係る発明では、単位表示情報であるのに対し、
　刊行物１記載の発明では、複数のブロックと複数のドットの２段構成の表示情報である点。
　
（２）判断
　上記の相違点については、
　刊行物１記載の発明では、各ブロックを縦横のドットに分割した２段構成の表示情報が採用され、この複数のドットの基準点の位置データと線分の方向のデータからブロックの線図データのビットマップ展開が行われているが、　
　この２段構成にした点は、データの圧縮率が高い線図データ送信するために更なる構成を付加したものであって、
　刊行物１記載の発明は、複数のブロックの送受信の順序等については、請求項１に係る発明と同じ構成を備えており、
　一方、例えば、刊行物２には、
　複数のパーツパターンに指定コードを対応づけて選択する手段と、
　複数のパーツパターンの組み合わせデータを記憶する手段と、
　受信信号によって受信された指定コードに基づいて、　
　この指定コードと対応づけて記憶されている組合せデータを選択し、この選択された組合せデータに基づいて、複数のパーツパターンによって構成される絵を、表示手段に表示させる受信装置の発明が記載されていて、
　複数のパーツに指定コードを対応させ、選択された組み合わせデータにより、複数のパーツを組みあわせた絵を表示させることが記載されているから、
　
　刊行物２記載の発明を参照すれば、刊行物１記載の発明の、各ブロックを縦横のドットに分割した２段構成の表示情報に代えて、イラスト情報に指定コードを対応させるたパーツパターンを単位表示情報とすることにより、
　メッセージ信号中に選択された単位表示情報を表示される位置の順番に配置して登録するようにすることは、当業者が容易に推考することができたものである。
　
　したがって、請求項１に係る発明は、刊行物１及び刊行物２記載の発明に基いて当業者が容易に発明をすることができたものと認められる。
　
［請求項２］に係る発明について
　請求項２に係る発明は、請求項１を引用し、前記表示する位置は、１つの画面を複数に分割した予め定められた位置に対応する点を限定したものであるが、
　刊行物記載の発明においても、線図領域を複数のブロックに分割し、各ブロックを縦横の複数のドットに分割し、この複数のブロックの位置や、複数のドットの位置が表示位置に対応しており、
　表示する位置を１つの画面を複数に分割した予め定められた位置に対応するようにすることは当業者が容易に推考することができたものである。
　
　したがって、請求項２に係る発明は、刊行物１及び刊行物２記載の発明に基いて当業者が容易に発明をすることができたものと認められる。」
　
３．結び
　そして、上記の拒絶理由は妥当なものと認められるので、本願は、この拒絶理由によって拒絶すべきものである。
　よって、結論のとおり審決する。